(57)【要約】【課題】落雷位置を記載した事故捜査図の作成を支援する技術を提供する。【解決手段】落雷に関する情報をデータべ−スから取得する取得手段と、前記落雷に関する情報から落雷位置情報を抽出する抽出手段と、前記落雷位置情報を落雷事故捜査図の作図手段で取り扱い可能な形式に変換する変換手段と、変換された落雷位置情報を用いて前記作図手段が前記落雷事故捜査図に落雷位置を表示する処理の実行を含む指令を作成する指令作成手段と、前記指令を前記作図手段に与える手段とを備える。【選択図】図１
2005010097.tif 000002
【特許請求の範囲】
【請求項１】
落雷に関する情報をデータべ−スから取得する取得手段と、
前記落雷に関する情報から落雷位置情報を抽出する抽出手段と、
前記落雷位置情報を落雷事故捜査図の作図手段で取り扱い可能な形式に変換する変換手段と、
変換された落雷位置情報を用いて前記作図手段が前記落雷事故捜査図に落雷位置を表示する処理の実行を含む指令を作成する指令作成手段と、
前記指令を前記作図手段に与える手段とを備える落雷事故捜査図作成支援装置。
【請求項２】
前記抽出手段は、前記落雷に関する情報から、落雷位置に対応する落雷時刻情報をさらに抽出し、
前記指令作成手段は、前記落雷事故捜査図に、落雷位置に対応する落雷時刻を表示する処理の実行をさらに含む前記指令を作成する請求項１記載の落雷事故捜査図作成支援装置。
【請求項３】
前記指令作成手段は、前記落雷事故捜査図に、落雷位置と落雷時刻とを示す表を表示する処理の実行をさらに含む前記指令を作成する請求項２記載の落雷事故捜査図作成支援装置。
【請求項４】
前記抽出手段は、前記落雷に関する情報から、落雷位置に対応する落雷の電流値情報をさらに抽出し、
前記指令作成手段は、前記落雷事故捜査図に、落雷位置に対応する電流値を表示する処理の実行をさらに含む前記指令を作成する請求項１乃至３のいずれかに記載の落雷事故捜査図作成支援装置。
【請求項５】
前記落雷の電流値情報から、その落雷が対地雷か雲間雷かの落雷種別を判別する判別手段をさらに備え、
前記指令作成手段は、前記落雷事故捜査図に、前記判別手段の結果に基づいて落雷種別を、落雷位置に対応づけて表示する処理の実行をさらに含む前記指令を作成する請求項１乃至４のいずれかに記載の落雷事故捜査図作成支援装置。
【請求項６】
前記抽出手段は、落雷に対する地理的範囲についての抽出条件を満たす落雷位置情報を、前記落雷に関する情報から抽出する請求項１乃至４のいずれかに記載の落雷事故捜査図作成支援装置。
【請求項７】
前記抽出手段は、落雷に対する時間的範囲についての抽出条件を満たす落雷位置情報を、前記落雷に関する情報から抽出する請求項１乃至５のいずれかに記載の落雷事故捜査図作成支援装置。
【請求項８】
落雷に関する情報をデータべ−スから取得するステップと、
前記落雷に関する情報から落雷位置情報を抽出する抽出ステップと、
前記落雷位置情報を落雷事故捜査図の作図手段で取り扱い可能な形式に変換するステップと、
変換された落雷位置情報を用いて前記作図手段が落雷事故捜査図に落雷位置を表示する処理の実行を含む指令を作成する指令作成ステップと、
前記指令を前記作図手段に与えるステップとを実行する落雷事故捜査図作成支援方法。
【請求項９】
前記抽出ステップは、前記落雷に関する情報から、落雷位置に対応する落雷時刻情報をさらに抽出し、
前記指令作成ステップは、前記落雷事故捜査図に、落雷位置に対応する落雷時刻を表示する処理の実行をさらに含む前記指令を作成する請求項８記載の落雷事故捜査図作成支援方法。
【請求項１０】
前記指令作成ステップは、前記落雷事故捜査図に、落雷位置と落雷時刻とを示す表を表示する処理の実行をさらに含む前記指令を作成する請求項９記載の落雷事故捜査図作成支援方法。
【請求項１１】
前記抽出ステップは、前記落雷に関する情報から、落雷位置に対応する落雷の電流値情報をさらに抽出し、
前記指令作成ステップは、前記落雷事故捜査図に、落雷位置に対応する電流値を表示する処理の実行をさらに含む前記指令を作成する請求項８乃至１０のいずれかに記載の落雷事故捜査図作成支援方法。
【請求項１２】
前記落雷の電流値情報から、その落雷が対地雷か雲間雷かの落雷種別を判別する判別ステップをさらに実行し、
前記指令作成ステップは、前記落雷事故捜査図に、前記判別手段の結果に基づいて落雷種別を、落雷位置に対応づけて表示する処理の実行をさらに含む前記指令を作成する請求項８乃至１１のいずれかに記載の落雷事故捜査図作成支援方法。
【請求項１３】
前記抽出ステップは、落雷に対する地理的範囲についての抽出条件を満たす落雷位置情報を、前記落雷に関する情報から抽出する請求項８乃至１２のいずれかに記載の落雷事故捜査図作成支援方法。
【請求項１４】
前記抽出ステップは、落雷に対する時間的範囲についての抽出条件を満たす落雷位置情報を、前記落雷に関する情報から抽出する請求項８乃至１３のいずれかに記載の落雷事故捜査図作成支援方法。
【請求項１５】
落雷に関する情報をデータべ−スから取得するステップと、
前記落雷に関する情報から落雷位置情報を抽出する抽出ステップと、
前記落雷位置情報を落雷事故捜査図の作図手段で取り扱い可能な形式に変換するステップと、
変換された落雷位置情報を用いて前記作図手段が落雷事故捜査図に落雷位置を表示する処理の実行を含む指令を作成する指令作成ステップと、
前記指令を前記作図手段に与えるステップとをコンピュータに実行させるプログラム。
【請求項１６】
前記抽出ステップは、前記落雷に関する情報から、落雷位置に対応する落雷時刻情報をさらに抽出し、
前記指令作成ステップは、前記落雷事故捜査図に、落雷位置に対応する落雷時刻を表示する処理の実行をさらに含む前記指令を作成する請求項１５記載のプログラム。
【請求項１７】
前記指令作成ステップは、前記落雷事故捜査図に、落雷位置と落雷時刻とを示す表を表示する処理の実行をさらに含む前記指令を作成する請求項１６記載のプログラム。
【請求項１８】
前記抽出ステップは、前記落雷に関する情報から、落雷位置に対応する落雷の電流値情報をさらに抽出し、
前記指令作成ステップは、前記落雷事故捜査図に、落雷位置に対応する電流値を表示する処理の実行をさらに含む前記指令を作成する請求項１５乃至１７のいずれかに記載のプログラム。
【請求項１９】
前記落雷の電流値情報から、その落雷が対地雷か雲間雷かの落雷種別を判別する判別ステップをさらに実行し、
前記指令作成ステップは、前記落雷事故捜査図に、前記判別手段の結果に基づいて落雷種別を、落雷位置に対応づけて表示する処理の実行をさらに含む前記指令を作成する請求項１５乃至１８のいずれかに記載のプログラム。
【請求項２０】
前記抽出ステップは、落雷に対する地理的範囲についての抽出条件を満たす落雷位置情報を、前記落雷に関する情報から抽出する請求項１５乃至１９のいずれかに記載のプログラム。
【請求項２１】
前記抽出ステップは、落雷に対する時間的範囲についての抽出条件を満たす落雷位置情報を、前記落雷に関する情報から抽出する請求項１５乃至２０のいずれかに記載のプログラム。
【発明の詳細な説明】
【０００１】
【発明の属する技術分野】
本発明は、落雷情報を記載した事故捜査図の作成を支援する技術に関する。
【０００２】
【従来の技術】
電力会社では、落雷により発生した配電線等の電力供給設備の事故区間の検出や事故点の探査のため、現場に向かう際に、落雷事故捜査図を用いていた。  事故区間の検出や事故点の探査を行う作業員は、配電線等の電力供給設備が記載された図に落雷位置、落雷発生時刻、その落雷の電流値のような落雷に関する情報がプロットされた事故捜査図を参照して、落雷の発生した現場に向かっていた。この落雷に関する情報は、落雷に関する情報を収集している機関が備えている落雷情報ＤＢから取得できる。
【０００３】
従来の事故捜査図の作成方法を説明する。従来では事故捜査図を作成するために、落雷情報ＤＢから落雷位置等を取得して、落雷位置を市販の地図に表示する。そして、作業者が市販の地図上に表示された落雷位置を事故捜査図と照合し、手書きにより事故捜査図上へ再プロットしていた。
【０００４】
しかしながら、この方法では、以下のような問題が生じていた。
【０００５】
落雷情報ＤＢから取得した落雷位置等を地図へプロットし、落雷位置等をプロットした出力用紙をもとに紙ベースの事故捜査図へ手書きにて再プロットしていため、効率が悪かった。
【０００６】
また、従来では事故時刻により落雷データの抽出を行っていたが、同一時刻の落雷は広範囲に広がっている場合が多かった。このような場合には、広範囲に渡って落雷を事故捜査図へプロットするため、作業者が地理に精通していなければ、紙ベースの事故捜査図への再プロット点を見極めることが困難であり、処理に時間を要していた。
【０００７】
また、落雷には、地上に落ちていない雲間雷と、地上に落ちた対地雷とが存在する。この落雷の種類を判別するためには、落雷の電流値等を見て判断する必要があり、手書きプロットの際、判別してプロットする必要があった。
【０００８】
また、落雷位置以外にも落雷の電流値や事故時刻などを手書きで記入する必要があった。
【０００９】
【発明が解決しようとする課題】
本発明は、このような従来技術の問題に鑑みてなされたものである。すなわち、本発明が解決しようとする課題は、落雷位置を記載した事故捜査図の作成を支援する技術を提供することである。
【００１０】
【課題を解決するための手段】
本発明は、上記課題を解決するために以下の手段を採用した。
【００１１】
本発明に係る落雷事故捜査図作成支援装置は、落雷に関する情報をデータべ−スから取得する取得手段と、前記落雷に関する情報から落雷位置情報を抽出する抽出手段と、前記落雷位置情報を落雷事故捜査図の作図手段で取り扱い可能な形式に変換する変換手段と、変換された落雷位置情報を用いて前記作図手段が落雷事故捜査図に落雷位置を表示する処理の実行を含む指令を作成する指令作成手段と、前記指令を前記作図手段に与える手段とを備えることを特徴とする。
【００１２】
ここで、落雷事故捜査図の作図手段として、例えばＣＡＤ（Ｃｏｍｐｕｔｅｒ  Ａｉｄｅｄ  Ｄｅｓｉｇｎ）ソフトによる落雷事故捜査図の作成が例示できる。このような場合には、変換手段が作図手段で取り扱い可能な形式として、データフォーマットや座標系に関する形式がある。
【００１３】
また、作図手段が落雷事故捜査図に落雷位置を表示するため、落雷事故捜査図は作図手段で処理できるデータとすることができる。例えば、作図手段がＣＡＤの場合には、落雷事故捜査図はＣＡＤデータであり、ＣＡＤデータ用のデータベースに保存されることが好ましい。このときの指令は、ＣＡＤが落雷位置を書き込むためのコマンドである。
【００１４】
このような構成にすると、落雷位置を事故捜査図へ自動プロットできる。
そのため、落雷情報ＤＢから取得した落雷位置を市販地図へプロットし、落雷位置などをプロットした出力用紙をもとに紙ベースの事故捜査図へ手書きにて再プロットする必要がない。従って、落雷位置を事故捜査図へプロットする作業の効率化が図れる。すなわち、落雷位置を記載した事故捜査図の作成を支援する技術を提供することができる。
【００１５】
また、本発明に係る落雷事故捜査図作成支援装置では、前記抽出手段は前記落雷に関する情報から落雷位置に対応する落雷時刻情報をさらに抽出し、前記指令作成手段は前記落雷事故捜査図に落雷位置に対応する落雷時刻を表示する処理の実行をさらに含む前記指令を作成してもよい。
【００１６】
このような構成にすると、落雷位置とともに落雷時刻を事故捜査図へ自動プロットできる。そのため、利用者は落雷事故捜査図で落雷位置とともに落雷時刻も認識できる。
【００１７】
また、本発明に係る落雷事故捜査図作成支援装置では、前記指令作成手段は、前記落雷事故捜査図に、落雷位置と落雷時刻とを示す表を表示する処理の実行をさらに含む前記指令を作成してもよい。
【００１８】
このような構成にすると、落雷位置や落雷時刻とともに、それらを対応付けた表を事故捜査図へ自動プロットできる。そのため、表示された表によって、利用者は落雷位置と落雷時刻とを関連付けて一目で認識することができる。
【００１９】
また、本発明に係る落雷事故捜査図作成支援装置では、前記抽出手段は、前記落雷に関する情報から、落雷位置に対応する落雷の電流値情報をさらに抽出し、前記指令作成手段は、前記落雷事故捜査図に落雷位置に対応する電流値情報を表示する処理の実行をさらに含む前記指令を作成してもよい。
【００２０】
このような構成にすると、落雷位置や落雷時刻とその落雷の電流値とを事故捜査図へ自動プロットできる。そのため、利用者は、落雷の電流値を参照することにより、落雷種別つまり対地雷か雲間雷かを識別することができる。
【００２１】
また、本発明に係る落雷事故捜査図作成支援装置では、前記抽出手段は、前記落雷に関する情報から、落雷位置に対応する落雷の電流値情報をさらに抽出し、落雷の電流値情報からその落雷が対地雷か雲間雷かを判別する手段をさらに含み、前記指令作成手段は、前記落雷事故捜査図に落雷位置に対応づけてその落雷位置における落雷種別が対地雷か雲間雷かを示す情報を表示する処理の実行をさらに含む前記指令を作成してもよい。
【００２２】
このような構成にすると、落雷位置や落雷時刻とともに落雷種別を事故捜査図へ自動プロットできる。そのため、利用者は落雷電流値を参照することなしに、落雷種別を識別することができる。
【００２３】
また、本発明に係る落雷事故捜査図作成支援装置では、前記抽出手段は、落雷に対する地理的範囲についての抽出条件を満たす落雷位置情報を、前記落雷に関する情報から抽出してもよい。前記抽出手段は、落雷に対する時間的範囲についての抽出条件を満たす落雷位置情報を、前記落雷に関する情報から抽出してもよい。
【００２４】
このような構成にすると、地理的範囲や時間的範囲の抽出条件により、抽出する落雷位置情報を設定することができる。そのため、従来のように落雷事故時刻により落雷位置情報を抽出する場合にも柔軟に対応することができる。
【００２５】
また、本発明は上記手段をコンピュータによって実行させるプログラムや、そのプログラムを読み取り可能な記憶媒体に記憶したものであってもよい。
【００２６】
【発明の実施の形態】
以下に図１から５の図面を参照して、本発明の実施の形態を説明する。図１は本発明の概念図であり、図２はブロック図であり、図３から図５はユーザが本システムを操作するときの操作端末上の操作画面を示す図であり、図６は処理フローを示す図である。
＜システム構成＞
図１を参照して、本発明に係る落雷位置自動プロットシステムの概要を説明する。図１は本発明の概念図を示す。
【００２７】
本発明に係る落雷位置自動プロットシステムは、ＣＡＤシステムによる事故捜査図の作成を支援するためのシステムである。落雷位置自動プロットシステムは、ＣＡＤシステムと共に操作端末１０２で実現される。
【００２８】
操作端末１０２は、パーソナルコンピュータや、ワークステーションなどのコンピュータを用いて構成される。操作端末１０２は、落雷に関する情報を保持する落雷情報ＤＢ１０１にネットワークを介して接続され、落雷に関する情報を落雷情報ＤＢ１０１から取得する。また、操作端末１０２は、メニュー画面やＣＡＤ表示画面を表示してユーザに操作を促したり、ユーザから入力操作を認識したりする。
【００２９】
落雷位置自動プロットシステムは、落雷情報ＤＢ１０１から落雷に関する情報を取得し、その情報の中から所定の落雷情報を抽出する。この所定の落雷情報には、落雷位置、落雷発生時刻、及び雷撃電流値がある。雷撃電流値とは落雷によって生じる電流値を意味する。また、落雷位置自動プロットシステムは、ＣＡＤシステムが所定の落雷情報をプロットするためのコマンドを作成し、ＣＡＤシステムを起動してコマンドを実行させる。
【００３０】
一方、ＣＡＤシステムは落雷位置自動プロットシステムで作成されたコマンドに従って、ＣＡＤ上の事故捜査図に落雷位置などをプロットする。
【００３１】
落雷情報ＤＢ１０１は、落雷に関する情報を格納しているデータベースである。このような落雷情報ＤＢ１０１は、落雷研究所や落雷観測所など落雷に関する情報を収集している機関が備えている。
＜ブロック図＞
図２を参照して、落雷位置自動プロットシステムを機能的に説明する。図２は操作端末のブロック図である。
【００３２】
操作端末１０２は、落雷位置自動プロットシステム２１０とＣＡＤシステム２２０とを制御する制御装置２０１、制御部の要求に従って落雷情報ＤＢ１０１との間で情報の送受信を実行する通信制御部（ネットワークインターフェイス装置）２０２、及び落雷位置自動プロットシステム２１０が生成した作成データやＣＡＤシステム２２０が読み込む事故捜査図データを格納する記憶装置２０３（ハードディスク装置）を備える。
【００３３】
また、操作端末１０２は、ユーザの入力操作を受け付ける入力装置（マウス、キーボード等）２０４と、メニュー画面やＣＡＤ画面を表示する表示装置（ディスプレイ）２０５と、プロットした事故捜査図を印刷するための印刷装置２０６とを備える。
【００３４】
通信制御部２０２はネットワークインターフェイス装置等を用いて構成され、落雷情報ＤＢ１０１とネットワークを介して接続される。通信制御部２０２は、落雷位置自動プロットシステム２１０からの指示によって落雷に関する情報を落雷情報ＤＢ１０１から取得し、落雷位置自動プロットシステム２１０のデータ取得部２１１に伝達する。
【００３５】
制御装置２０１は、演算や制御を実行するＣＰＵと主記憶装置（ＲＡＭ等）とを有している。ＣＰＵがプログラム（例えば、記憶装置２０３上に格納される）を主記憶にロードして実行することにより、操作端末１０２は、落雷位置自動プロットシステム２１０やＣＡＤシステム２２０などを実現する装置として機能する。
【００３６】
落雷位置自動プロットシステム２１０は、データ取得部２１１、データ抽出部２１２、データ変換部２１３、コマンド作成部２１４、及びコマンド実行部２１５を含む。データ取得部２１１は、通信制御部２０２から落雷に関する情報を受け取り、記憶装置２０３にダウンロードする。データ抽出部２１２は、設定された抽出条件に従って、記憶装置２０３から所定の落雷情報を抽出する。データ変換部２１３は、抽出された落雷情報をデータ変換し、作成データを生成し、記憶装置２０３に格納する。コマンド作成部２１４は、ＣＡＤシステム２２０に実行させるコマンドを作成する。このコマンドには、例えばデータの読み込みやプロットを実行する指令などがある。コマンド実行部２１５は、ＣＡＤシステム２２０を起動し、作成したコマンドを伝達し、実行させる。
【００３７】
ＣＡＤシステム２２０は、落雷位置自動プロットシステム２１０からの指示により起動し、伝達されたコマンドを実行する。そしてＣＡＤシステム２２０は、記憶装置２０３から事故捜査図データと作成データとを読み込み、コマンドに従って事故捜査図へのプロットを実行する。
【００３８】
記憶装置２０３は、不揮発性の記憶装置、例えばハードディスクであり、予め作成された事故捜査図データを保持するとともに、落雷位置自動プロットシステム２１０によって作成された作成データを格納する。
＜操作画面＞
操作端末１０２の表示装置２０５の画面に表示された各種の操作画面について図３から図５を用いて説明する。図３及び図４に示す各種操作画面は落雷位置自動プロットシステム２１０によって表示され、図５に示すＣＡＤ画面はＣＡＤシステム２２０によって表示される。
【００３９】
図３を参照して、落雷情報を抽出するための条件を設定する方法について説明する。図３は操作端末１０２の画面上に表示される抽出条件の設定画面である。
【００４０】
ユーザは、抽出条件設定画面３００で、落雷情報ＤＢ１０１から落雷に関する情報を取得するときの取得条件も設定するとともに、落雷情報を抽出するときの抽出エリアや抽出時間などを設定する。
【００４１】
この抽出条件設定画面３００は、例えばデータ取得フィールド３０１、データ作成フィールド３０２、データ作成ボタン３０３、及び事故捜査図プロットボタン３０４を含む。
【００４２】
さらに、データ取得フィールド３０１は、取得日付欄３０５と、データ取得ボタン３０６とを含む。
【００４３】
データ取得フィールド３０１は、落雷情報ＤＢ１０１から落雷に関する情報を取得するための条件を設定するためのフィールドである。ユーザが取得日付欄３０５で落雷に関する情報を取得する日付を設定し、データ取得ボタン３０６を押下することにより、データ取得部２１１は、通信制御部２０２を介して、落雷情報ＤＢ１０１から所定の落雷情報を記憶装置２０３にダウンロードする。
【００４４】
データ作成フィールド３０２は、記憶装置２０３から所定の落雷情報を抽出するための条件を設定するためのフィールドである。データ作成フィールド３０２は、例えば作成データ名欄３０７、抽出条件フィールド３０８、配電線選択フィールド３０９、雷条件欄３１０、及びエリア指定ボタン３１１を含む。
【００４５】
作成データ名欄３０７には、これから作成するデータファイルの名称がユーザにより入力される。
【００４６】
抽出条件フィールド３０８は、さらに抽出条件１または抽出条件２に分かれる。抽出条件１は、記憶装置２０３から所定の落雷情報を抽出するときの基準時刻、抽出種別、及び抽出時間から所定の落雷情報を抽出する時間帯を設定する。ここで、基準時刻とは、事故発生時刻等を示す。また、抽出種別とは、基準時刻の前からデータを抽出するか、または基準時刻の前後のデータを抽出するかの種別を示す。ただし、抽出条件１による設定では、基準時刻の２０秒前から所定の落雷情報を抽出することが望ましい。
【００４７】
また、抽出条件２は、所定の落雷情報を抽出する時間帯を開始時刻と終了時刻によって設定する。
【００４８】
配電線選択フィールド３０９では、エリア名称、変電所名称、及び配電線名称がユーザによって選択される。エリア名称では、ユーザは所定の情報を抽出する地理的範囲を、県や支店など広域な範囲で選択できる。変電所名称では、ユーザは所定の情報を抽出する地理的範囲を、変電所が管轄する範囲で選択できる。配電線名称では、ユーザは所定の情報を抽出する地理的範囲を、配電線の範囲で選択できる。
【００４９】
この配電線選択フィールド３０９では、全ての項目が選択される必要はない。配電線名称や変電所名称を未選択にすることもできる。例えば、配電線名称を未選択にした場合には、操作端末１０２は選択された変電所名称の範囲内の所定の落雷情報を抽出する。また、配電線名称および変電所名称を未選択にした場合には、操作端末１０２は選択されたエリア名称の範囲内の所定の落雷情報を抽出する。ただし、これらの場合には、事故捜査図へのプロットは実行されない。そのため、ユーザは電子地図などを利用して落雷範囲を把握する。
【００５０】
データ作成ボタン３０３は、データ作成を開始するためのボタンである。ユーザによってデータ作成ボタン３０３が押下されると、データ抽出部２１２は、設定された抽出条件に基づき、記憶装置２０３から所定の落雷情報を抽出する。そして、データ変換部２１３は、抽出した所定の落雷情報を座標変換して、ＣＳＶ（Ｃｏｍｍａ  Ｓｅｐａｒａｔｅｄ  Ｖａｌｕｅｓ）形式のデータファイルを作成する。以下、ここで変換されたデータを作成データをいう。そして、データ変換部２１３は、作成データを記憶装置２０３に格納する。
【００５１】
事故捜査図プロットボタン３０４は、事故捜査図へのプロットを開始するためのボタンである。ユーザによって事故捜査図プロットボタン３０４が押下されると、表示装置２０５は、図４（Ａ）に示すメニュー表示画面４１０を操作端末の画面上に表示する。このメニュー表示画面４１０は、作成データをＣＡＤ上の事故捜査図にプロットするための設定を行う画面である。
【００５２】
次に、図４（Ａ）から（Ｃ）を参照して、作成データのプロット方法について説明する。図４（Ａ）は操作端末上に表示されるメニュー画面であり、図４（Ｂ）は自動作図開始画面であり、図４（Ｃ）は作成データ表である。
【００５３】
図４（Ａ）に示すメニュー表示画面４１０は、例えば初期設定ボタン４１１、データ確認ボタン４１２、抽出落雷データ欄４１３、事故捜査図プロットボタン４１４、落雷データ表図面出力欄４１５、クローズボタン４１６を含む。
【００５４】
初期設定ボタン４１１は、システムインストール時に抽出条件を初期設定したり、抽出条件を初期化したりするためのボタンである。データ確認ボタン４１２は、作成データを確認するためのボタンである。抽出落雷データ欄４１３は、記憶装置２０３から抽出する所定の落雷情報のデータを指定するための欄である。事故捜査図プロットボタン４１４は、作図を開始するためのボタンである。事故捜査図プロットボタン４１４が押下されると、表示装置２０５は図４（Ｂ）に示す自動作図開始画面４２０を操作端末の画面上に表示する。
【００５５】
落雷データ表図面出力欄４１５は、図５に示す落雷データ情報表５０２をＣＡＤ上の事故捜査図に表示するか、データファイルとして保存するかを設定するための欄である。落雷データ情報については、図５を参照して後で説明する。クローズボタン４１６は、メニュー表示画面４１０を終了するためのボタンである。
【００５６】
つぎに、事故捜査図プロットボタン４１４が押下されると、表示装置２０５は、図４（Ｂ）に示す自動作図開始画面４２０を操作端末の画面上に表示する。この自動作図開始画面４２０は、例えば開始ボタン４２１とキャンセルボタン４２２とを含む。
【００５７】
ユーザによって開始ボタン４２１が押下されると、コマンド作成部２１４はＣＡＤシステム２２０に実行させるコマンドを作成する。そして、コマンド実行部２１５は、ＣＡＤシステム２２０を起動し、ＣＡＤ上の事故捜査図へプロットを開始する。
【００５８】
一方、キャンセルボタン４２２が押下されると、操作端末１０２は事故捜査図へのプロットを実行せずに、メニュー表示画面４１０に戻る。
【００５９】
つぎに、データ確認ボタン４１２が押下されると、操作端末１０２は、図４（Ｃ）に示す作成データ表を操作端末の画面上に表示する。
【００６０】
表示装置２０５は、必要に応じて作成データ表４３０を端末画面上に表示して、作成データの確認をユーザに促す。この作成データ表４３０は、記憶装置２０３に格納されるＣＳＶ形式のデータファイルであり、所定の落雷情報である。すなわち、作成データ表４３０は、雷種別、日付、時刻、緯度経度、ＸＹ座標、雷撃電流値、及び終了ボタンなどを含む。
【００６１】
雷種別は、対地雷を「Ｇ」とし、雲間雷を「Ｃ」として、雷の種別を示す。日付と時刻は、落雷が発生した日時を示す。緯度経度は、雷情報ＤＢ１０１から取得した落雷位置を示すデータである。ＸＹ座標は座標変換後の落雷位置のデータである。終了ボタンは作成データ表４３０の確認を終了するためのボタンである。
【００６２】
次に、図５を参照して、操作端末の画面上に表示されるＣＡＤ画面について説明する。ＣＡＤ画面５１０は、ＣＡＤシステム２２０によって落雷の位置を表わす落雷データ５０１などがプロットされた事故捜査図を示す。また、ＣＡＤ画面５１０には、落雷データ５０１とともに、落雷位置と落雷発生時刻などとを関連付けた表である落雷データ情報表５０２も表示できる。また、ＣＡＤ画面上には、印刷ボタン５０３を設けて、印刷装置２０６が事故捜査図を印刷する。
【００６３】
落雷データ５０１は、対地雷と雲間雷とを異なる落雷マークにより区別して表示する。あるいは、落雷マークは、対地雷と雲間雷とを色分けして表示してもよい。さらに、落雷データ５０１は、落雷マークと共に、識別番号としてデータ番号も表示する。
【００６４】
落雷データ情報表５０２は、落雷マークで表示された落雷と、その落雷の発生時刻と、雷撃電流とを識別番号により対応付けて表示する。
【００６５】
この落雷データ情報は、図４（Ａ）に示す落雷データ表の図面出力欄４１５により設定される。例えば、落雷位置自動プロットシステム２１０は、落雷データ表図面出力欄４１５がチェックされている場合に、落雷データ情報表５０２をＣＡＤ上の事故捜査図に表示する。一方、落雷位置自動プロットシステム２１０は、落雷データ表図面出力欄４１５がチェックされていない場合には、落雷データ情報表５０２はデータファイルとして保存する。
＜処理フロー＞
図６を参照して、操作端末１０２の処理を説明する。図６は、落雷に関する情報の取得からＣＡＤ上の事故捜査図へのプロットまでの処理を示すフロー図である。
【００６６】
落雷位置自動プロットシステム２１０は、データをダウンロードする（Ｓ６０１）。落雷位置自動プロットシステム２１０の通信制御部２０２は、落雷に関する情報の取得を落雷情報ＤＢ１０１に要求する。そして、落雷情報ＤＢ１０１は、この要求を受信すると、要求に応じた落雷に関する情報を通信制御部２０２に送信する。そして、通信制御部２０２は落雷に関する情報を受信し、データ取得部２１１に伝達する。その後、データ取得部２１１は、取得した落雷に関する情報を記憶装置２０３に格納する。ここで取得される落雷に関する情報は、図３に示すデータ取得フィールド３０１によってユーザにより設定される。
【００６７】
そして、落雷位置自動プロットシステム２１０は、抽出条件に基づき、データを抽出する（Ｓ６０２）。ここで、データ抽出部２１２は、先程記憶装置２０３に格納した落雷に関する情報から所定の落雷情報と、地理的な抽出範囲を定めたエリアデータとを読み込む。
【００６８】
エリアデータは配電線範囲に関するデータである。つまり、エリアデータとは、配電線選択フィールド３０９で設定された地理的範囲を特定するため、配電線の地理的範囲を２点の座標で表わしたデータである。
【００６９】
この抽出条件は、所定の落雷情報を抽出するための時間的範囲と地理的範囲に関する。この時間やエリアは、図３に示す抽出条件フィールド３０８や配電線選択フィールド３０９によってユーザにより設定される。
【００７０】
そして、落雷位置自動プロットシステム２１０は、抽出したデータを変換する（Ｓ６０３）。データ変換部２１３は、抽出した所定の落雷情報をＣＡＤシステムに処理可能なデータ形式に変換する。例えば所定の落雷情報が緯度経度で示されていた場合、データ変換部２１３は、抽出した所定の落雷情報をＸＹ座標系に変換する。ここで、変換されたデータは作成データという。上述のように、この作成データはＣＳＶ形式のデータファイルである。
【００７１】
そして、落雷位置自動プロットシステム２１０は、ＣＡＤシステム２２０のコマンドを作成する（Ｓ６０４）。コマンド作成部２１４は、ＣＡＤシステム２１０がプロットを実行するためのコマンドを作成する。このコマンドとしては、ＣＡＤデータの読み込み指令、作成データの読み込み指令、落雷データ５０１のプロット指令、及び落雷データ情報表５０２のプロット指令などがある。
【００７２】
そして、落雷位置自動プロットシステム２１０はＣＡＤシステム２２０を起動し、コマンドを実行させる（Ｓ６０５）。コマンド実行部２１５は、ＣＡＤシステム２２０を起動し、コマンド作成部２１４が作成したコマンドを実行させる。
【００７３】
なお、ここで利用されるＣＡＤシステム２２０は、落雷位置自動プロットシステム２１０により起動され、自動でコマンドを実行できる機能を有するものであればよい。そのため、このような機能を有するＣＡＤシステム２２０であれば、市販のＣＡＤソフトも利用できる。
【００７４】
一方、ＣＡＤシステム２２０は、コマンドに従って事故捜査図データを読み込む（Ｓ６０６）。ここで、読み込まれる事故捜査図データは、落雷位置自動プロットシステム２１０のデータ抽出部２１２が読み込んだエリアデータと対応した地理的範囲の事故捜査図データである。また、事故捜査図データは、例えば地図と共に配電線も記載されたＣＡＤデータであり、予め記憶装置２０３に格納される。
【００７５】
そして、ＣＡＤシステム２２０は記憶装置２０３から作成データを読み込む（Ｓ６０７）。上述のように、作成データは所定の落雷情報をＣＳＶ形式のデータファイルであり、記憶装置２０３に格納されている。
【００７６】
そして、ＣＡＤシステム２２０は、コマンドに従って落雷位置を事故捜査図上へプロットする（Ｓ６０８）。つまり、ＣＡＤシステム２２０は、図５に示す落雷データ５０１を事故捜査図上へプロットする。
【００７７】
つぎにＣＡＤシステム２２０は、コマンドに従って落雷情報表を事故捜査図上へプロットする（Ｓ６０９）。つまり、ＣＡＤシステム２２０は、図５に示す落雷データ情報表５０２を事故捜査図上へプロットする。
＜実施形態の効果＞
本実施の形態に従えば、落雷に関する情報から所定の落雷情報を取得、抽出して、自動で事故捜査図にプロットすることがきる。そのため、従来のように、落雷情報ＤＢから取得した落雷位置を市販地図へプロットし、落雷位置などをプロットした出力用紙をもとに紙ベースの事故捜査図へ手書きにて再プロットすることを要しない。また、例えば、落雷付近の地理に精通しているなど、再プロットをする作業者の技能や経験を要しない。さらに、事故捜査図上へのプロット作業の効率化を図ることができる。
【００７８】
また、従来のように、事故時刻によって落雷データを抽出することができ、さらに、地理的範囲によっても落雷データを抽出することができる。また、雲間雷か対地雷かを自動で判別して、事故捜査図上にプロットできる。また、落雷の位置以外に、例えば落雷発生時刻や雷撃電流値などの情報も事故捜査図上にプロットできる。
【００７９】
そのため、ユーザの要望に合わせた柔軟な事故捜査図を作成することができる。
＜コンピュータに読み取り可能な記憶媒体＞
上記実施の形態のいずれかの処理をコンピュータに実行させるプログラムをコンピュータが読み取り可能な記憶媒体に記録することができる。そして、コンピュータに、この記憶媒体のプログラムを読み込ませて実行させることにより、上記実施の形態に示したシステムを提供することができる。
【００８０】
ここで、コンピュータが読み取り可能な記憶媒体とは、データやプログラム等の情報を電気的、磁気的、光学的、機械的、または化学的作用によって蓄積し、コンピュータから読み取ることができる記憶媒体をいう。このような記憶媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【００８１】
また、コンピュータに固定された記録媒体として、ハードディスクやＲＯＭ（リード・オンリー・メモリ）等がある。
【００８２】
なお、上記実施の形態は本発明の範囲をなんら限定するものではなく、当業者が理解できる範囲において適宜、各種の変形の態様があり得る。
【００８３】
【発明の効果】
以上で説明したように、本発明は落雷位置を事故捜査図へ自動プロットできる技術を提供することができる。
【図面の簡単な説明】
【図１】本発明の概念を示す図である。
【図２】本発明のブロック図である。
【図３】抽出条件設定画面を示す図である。
【図４】操作端末の画面を示す図である。
【図５】ＣＡＤ表示画面を示す図である。
【図６】処理フローを示す図である。
【符号の説明】
１０１…落雷情報ＤＢ
１０２…操作端末
２０１…制御装置
２０２…通信制御部
２０３…記憶装置
２０４…入力装置
２０５…表示装置
２０６…印刷装置
２１０…落雷位置自動プロットシステム
２１１…データ取得部
２１２…データ抽出部
２１３…データ変換部
２１４…コマンド作成部
２１５…コマンド実行部
２２０…ＣＡＤシステム
３００…抽出条件設定画面
３０１…データ取得フィールド
３０２…データ作成フィールド
３０３…データ作成ボタン
３０４…事故捜査図プロットボタン
３０５…取得日付欄
３０６…データ取得ボタン
３０７…作成データ名欄
３０８…抽出条件フィールド
３０９…配電線選択フィールド
３１０…雷条件欄
３１１…エリア指定ボタン
４１０…メニュー表示画面
４１１…初期設定ボタン
４１２…データ確認ボタン
４１３…抽出落雷データ欄
４１４…事故捜査図プロットボタン
４１５…落雷データ表図面出力欄
４１６…クローズボタン
４２０…自動作図開始画面
４２１…開始ボタン
４２２…キャンセルボタン
４３０…作成データ表
５０１…落雷データ
５０２…落雷データ情報表
５０３…印刷ボタン
５１０…ＣＡＤ画面
【図１】
2005010097.tif 000003
【図２】
2005010097.tif 000004
【図３】
2005010097.tif 000005
【図４】
2005010097.tif 000006
【図５】
2005010097.tif 000007
【図６】
2005010097.tif 000008